(57)【要約】【課題】  水周りであっても十分な除菌効果を発揮することができる除菌用エアゾール製品を提供する。【解決手段】  有効成分である低級アルコール及び２０重量％以下の割合で水を含有する原液と、噴射剤とからなるエアゾール内容物を、平均粒子径が５０μｍ以下となるように噴霧することを特徴とする除菌用エアゾール製品。【選択図】  図１
2005200341.tif 000002
【特許請求の範囲】
【請求項１】
有効成分である低級アルコール及び２０重量％以下の割合で水を含有する原液と、噴射剤とからなるエアゾール内容物を、平均粒子径が５０μｍ以下となるように噴霧することを特徴とする除菌用エアゾール製品。
【請求項２】
前記原液がモウソウチク抽出物、柿抽出物及びグレープフルーツ種子抽出物の１種又は２種以上を含有することを特徴とする請求項１記載の除菌用エアゾール製品。
【請求項３】
メカニカルブレークアップ機構を備えたボタンを有することを特徴とする請求項１又は２記載の除菌用エアゾール製品。
【発明の詳細な説明】
【技術分野】
【０００１】
本発明は、流し台やまな板等の水回りでの使用に適した除菌用エアゾール製品に関する。
【背景技術】
【０００２】
流し台やまな板等の水周りでは雑菌が繁殖し易く、その結果、不衛生となり食中毒や悪臭の原因となることから、よい衛生状態を保つことが必要となる。そのためにアルコール等を用いて除菌、清掃することが行われている。その際にアルコール等を簡便に処理できるように、エアゾール製剤やポンプ製剤としたものが知られている（例えば、特許文献１参照。）。
【０００３】
【特許文献１】特開平１１−３０２１２１号公報（第１−５頁）
【発明の開示】
【発明が解決しようとする課題】
【０００４】
ところが従来の製品においては、水周りでは十分な除菌効果が得られないことがあった。
そこで本発明では、水周りであっても十分な除菌効果を発揮することができる除菌用エアゾール製品を提供することを目的としたものである。
【課題を解決するための手段】
【０００５】
本発明者らは、上記の目的を達成するために鋭意検討した結果、水周りでの除菌効果は、製品に含まれる水の量、噴霧される粒子径に影響されるとの知見を得た。そして十分な除菌効果を得るための要件についてさらに検討を進めた結果、以下の（１）〜（３）の除菌用エアゾール製品とすることによって目的が達成されることを見出し本発明に至った。
（１）  有効成分である低級アルコール及び２０重量％以下の割合で水を含有する原液と、噴射剤とからなるエアゾール内容物を、平均粒子径が５０μｍ以下となるように噴霧することを特徴とする除菌用エアゾール製品。
（２）前記原液がモウソウチク抽出物、柿抽出物及びグレープフルーツ種子抽出物の１種又は２種以上を含有することを特徴とする（１）記載の除菌用エアゾール製品。
（３）メカニカルブレークアップ機構を備えたボタンを有することを特徴とする（１）又は（２）記載の除菌用エアゾール製品。
【発明の効果】
【０００６】
本発明の除菌用エアゾール製品は、流し台やまな板等の水周りであっても十分な除菌効果を得ることができる。その結果、雑菌の繁殖を抑制してよい衛生状態を保つことができ、悪臭の発生も防ぐことができる。またエアゾール内容物は安定性がよく、長期間にわたり沈殿物の生成、着色等の変質がない。さらに低級アルコール、天然成分等からできたものであるから、食器等にかかっても安心である。
【発明を実施するための最良の形態】
【０００７】
本発明の除菌用エアゾール製品において、エアゾール内容物の有効成分としてメチルアルコール、エチルアルコール、ｎ−プロピルアルコール、イソプロピルアルコール、ブチルアルコール、アミルアルコール等の低級アルコールの１種又は２種以上を用いることができる。これらの中でもエチルアルコールが好ましい。エチルアルコールは、発酵法、合成法のいずれの製法によるものであってもよい。
【０００８】
低級アルコールは原液中に８０〜１００重量％となるように含有すればよい。
【０００９】
水としては、精製水、イオン水等の１種又は２種以上を用いることができる。多量に水を含有すると有効成分が希釈されて十分な除菌効果を得ることができず、特に水周りで用いる場合には、処理面に水が多く存在することから有効成分の希釈の程度が大きくなり、除菌効果に悪影響を及ぼす。また、錆等によるエアゾール容器の劣化の原因にもなる。従って、本発明においては、水は原液中に２０重量％以下となるように添加される。また、含水量の下限は０重量％である。尚、低級アルコールには一般に不可避の水分が含まれるため、上記の含水量は別途添加する水分量であり、含水量が０重量％とは低級アルコールが含有する不可避の水分のみであることを意味する。
【００１０】
噴射剤としては、プロパン、プロピレン、ｎ−ブタン、イソブタン等の液化石油ガス、ジメチルエーテル、ＣＦＣ、ＨＣＦＣ、ＨＦＣ等のクロロフロロカーボン、液化炭酸、液化窒素等の液化ガス、窒素、炭酸ガス、圧縮空気、亜酸化窒素等の圧縮ガスの１種又は２種以上を用いることができる。
【００１１】
本発明の除菌用エアゾール製品は、上記の低級アルコールと水を含有した原液と噴射剤とからなるエアゾール内容物をエアゾール容器に充填することによって調製される。この際に、原液４０〜９０重量％に対して噴射剤１０〜６０重量％として充填すればよく、内圧が０．２〜０．５ＭＰａとするのがよい。
【００１２】
そして、エアゾール内容物を平均粒子径５０μｍ以下となるように噴霧するために、噴口径０．４〜０．６ｍｍのボタン、ステム径０．３〜０．５ｍｍ、アンダータップ１．０〜２．２ｍｍ、ベーパータップ０〜０．３ｍｍのバルブを備えたエアゾール容器を用いるのがよい。尚、平均粒子径は４０〜５０μｍとするのが十分な除菌効果を得るためには好ましい。
【００１３】
上記の平均粒子径は粒度分布測定装置により測定され、自動演算処理装置により解析されたＤ５０（累積５０％）を意味するものである。具体的には、粒度分布測定装置のレーザー光発光部から照射されるレーザービームに対して垂直にエアゾール容器の噴口を２０ｃｍ離して配置し、エアゾール容器からの噴霧物がレーザービームを垂直に通過するように噴霧して噴霧物の粒度分布を自動演算処理装置により解析することで求められる。
【００１４】
このようにして得られる本発明の除菌用エアゾール製品は、約６〜約１０ｇ／１０秒の噴霧量を有する。
【００１５】
本発明は種々の変更が可能であり、上記の原液中には、モウソウチク抽出物、柿抽出物、グレープフルーツ種子抽出物、フラボノイド、緑茶抽出物、ルイボス茶抽出物、ユッカ抽出物、オリーブ葉エキス末、キトサン、ウーロン茶抽出物、ブドウ種子エキス、ムルレイヤエキス、シソオイル、チャ乾留物、甘草油性抽出物、モウソウチク乾留物、シソの実エキス、からし抽出物、ブロッコリーパウダー、ショウガ抽出物、エゴノキ抽出物、カワラヨモギ抽出物、ホオノキ抽出物、レンギョウ抽出物、モミガラ抽出物、ペッパー抽出物、柑橘種子抽出物、生大豆抽出物、ピメンタ抽出物等の機能性植物抽出物の１種又は２種以上を含有することができる。これらは除菌、殺菌、防黴、消臭等の目的に応じて、その含有量、組み合わせを選択して用いればよい。特に除菌においては、モウソウチク抽出物、柿抽出物、グレープフルーツ種子抽出物を組み合せて用いることがよく、原液中に０．００１〜１重量％とするのがよい。これらは市販されているものでもよく、モウソウチク抽出物として竹伝説（日本油脂社製）、柿抽出物としてパンシルＢＡ−２００Ｅ−１（リリース科学工業社製）、グレープフルーツ種子抽出物としてＤｅｓｆａｎ−１０（ＡＢＣテクノ社製）等を用いることができる。
【００１６】
この他にも原液中には、グリセリン等の分散剤、香料、界面活性剤、安定化剤、酸化防止剤、防錆剤、殺菌剤、消臭剤等を必要に応じて含有してもよい。
【００１７】
本発明の除菌用エアゾール製品は、上記の噴霧機構の他に、図１に示すようなメカニカルブレークアップ機構を備えたボタンを備える構成とすることもできる。尚、図１において（Ａ）は断面図、（Ｂ）は噴口部分をその裏側（即ち、図中右側）から見た図である。  このようなメカニカルブレークアップ機構により、噴霧パターンをファインミスト（柔らかく広がった霧状）とすることができる。これによって広範囲に均一にエアゾール内容物を噴霧することができる。ボタンの噴口径としては０．３〜０．５ｍｍ、旋回して噴霧するための溝（チャンネル）は４〜８本とするのがよい（図１では４本）。
【００１８】
また、原液中に水を５〜２０重量％含有させた場合にアフタードロー（噴霧後の液だれ）、が発生することがあるが、メカニカルブレークアップ機構を備えたボタンを用いることで、アフタードローを抑えることができる。この時に噴口とバルブとを結ぶチューブ内の空間に、図示のような円筒棒（センターポスト）や邪魔板（図示せず）等を挿入して、その空間を約２００〜約２７０ｍｍ3とすることがよい。
【００１９】
この他の噴霧機構として、エアゾール内容物が回転面の前方向に噴霧される回転ノズル（特願２００３−４８８０９号に記載されたもの等）を用いることもできる。
【００２０】
但し、何れの噴霧機構においても、噴霧物の平均粒子径が５０μｍ以下となるように各構成部品の形状や寸法を調整する必要がある。
【００２１】
本発明の除菌用エアゾール製品は、流し台、排水口、調理台、まな板、包丁、食卓、キッチンカウンター等で使用することができる。
【実施例】
【００２２】
以下に実施例によって本発明をさらに詳しく説明するが、本発明はこれらに限定されるものではない。
【００２３】
（試験例１）
表１に記載の除菌用エアゾール製品を用いて、大腸菌及び黄色ブドウ球菌に対する実使用を想定した除菌効果を以下の方法によって確認した。実施例１は、噴口径０．５ｍｍのボタン及びステム径０．４ｍｍ、アンダータップ１．０ｍｍ、ベーパータップなしのバルブ（Ｃ（Ｂ）６２６８（０．４）ＬＬ×１３２；丸一社製）を備えたエアゾール容器を用いた。また実施例２は、噴口径０．４５ｍｍ、溝（チャンネル）６本をもつメカニカルブレークアップ機構を備えたボタン及びステム径０．４ｍｍ、アンダータップ２．２ｍｍ、ベーパータップなしのバルブ（Ｃ（Ｂ）６２６０（０．４）ＬＬ×１３２；丸一社製）を備えたエアゾール容器を用いた。
【００２４】
【表１】
2005200341.tif 000003
【００２５】
また、比較用に市販のポンプタイプの除菌用スプレー製品（発酵アルコール５０〜６０％、植物抽出物及び精製水を含有したもの）を用いた（表２中、市販品Ａ及び市販品Ｂ）。尚、試験に先立ち、実施例１及び実施例２の各除菌用エアゾール製品、市販品Ａ及び市販品Ｂの各内容物のみを各菌に作用させたところ、何れも３０秒以内で全て死滅しており、除菌効果が同じであることを確認した。
【００２６】
乾燥した木製のまな板（６．７ｃｍ×７．５ｃｍ）に各菌を８０μＬ塗布し、そこに実施例１及び実施例２の除菌用エアゾール製品、市販品Ａ、市販品Ｂを用いてそれぞれ表２に記載の量を噴霧した。尚、表記のように噴霧量が異なっているが、アルコール換算では何れも０．４〜０．６ｇの範囲であり、ほぼ同量である。それから塗布面にスタンプ培地を５秒間押し当てて各菌を転写し、３７℃条件下で１８時間保存後、その培地での生菌数を計数した。予め、乾燥した木製まな板に同様の菌転写処理を行ったときの生菌数を求めておき、下記式から除菌率（％）を算出した。また、木製まな板に水を７６μＬ塗布して濡れた状態とし、同様にして試験を行った。結果を表２に示す。
除菌率（％）＝（無処理の培地での生菌数−噴霧処理した培地での生菌数）÷無処理の                  培地での生菌数×１００
【００２７】
【表２】
2005200341.tif 000004
【００２８】
表２に記載したとおり、本発明の除菌用エアゾール製品は、木製まな板が乾いている状態、濡れている状態のいずれにおいても各菌に対して除菌率（％）が高く、十分な除菌効果が得られることが確認された。一方、市販品では、木製まな板が乾燥状態であっても除菌効果が十分ではなく、木製まな板が濡れている状態では除菌率（％）が大きく減少した。
【００２９】
（試験例２）
実施例１の除菌用エアゾール製品を用いて、以下の条件によって安定性の試験を行った。即ち、エアゾール内容物５０ｍＬをガラス瓶に入れてガラス試験瓶用バルブ（Ａ５Ｄ（Ｄ）７７６９（１．２×３） Ｇ−３４；丸一社製）にて蓋をして、５℃条件下に置いた。そして、１日後、１０日後、１ヶ月後及び２ヶ月後に沈殿物の生成、エアゾール内容物の変色を目視にて確認した。また、４０℃条件下に置いて同様の試験を行った。
【００３０】
試験の結果は表３に記載したとおりであり、本発明の除菌用エアゾール製品のエアゾール内容物は５℃及び４０℃のいずれの条件下でも、変色も無く、実用上の問題となるような沈澱も見られず、安定であることが確認された。
【００３１】
【表３】
2005200341.tif 000005
【００３２】
（試験例３）
試験例１で用いた実施例１及び実施例２、市販品Ａ及び市販品Ｂを用いて以下の条件で消臭試験を行った。
【００３３】
先ず、各内容物を表２に記載した所定の噴霧量となるようにメロンの皮に噴霧し、室内（２３〜２６℃）に放置した。そして、何も噴霧していないメロンの皮を比較として、経時的に腐敗臭の程度を以下の基準で判定した。内容物は毎日朝夕の２回噴霧し、１日後と３日後の夕方の噴霧前にモニターが判定した。尚、モニターは１３人とした。
１点：比較より強い
２点：比較よりやや強い
３点：比較と同等
４点：比較よりやや弱い
５点：比較より弱い
６点：腐敗臭無し
【００３４】
試験の結果は表４に記載したとおりであり、本発明の除菌用エアゾール製品は優れた消臭効果を有することが確認された。また、黴の発生もほとんどみられず、優れた除菌効果も確認された。
【００３５】
【表４】
2005200341.tif 000006
【図面の簡単な説明】
【００３６】
【図１】本発明の除菌用エアゾール製品に用いられるメカニカルブレークアップ機構ボタンの一例を示す図であり（Ａ）は断面図、（Ｂ）は噴口部分をその裏側から見た図である。
【図１】
2005200341.tif 000007